(57)【要約】      （修正有）【課題】最近の取引履歴を参照し得る自動取引装置および取引履歴参照システムを提供する。【解決手段】通帳に未記帳の取引履歴を未記帳取引履歴情報として取得する未記帳取引履歴取得部１１８と、該未記帳取引履歴情報を保持する記憶部１１７と、保持された前記未記帳取引履歴情報に基づいて直近の取引履歴を表示する表示部１１２とを備えた自動取引装置と、顧客を識別するための顧客識別情報に対応付けられた当該顧客の取引履歴が示されている取引履歴情報を保持する顧客データベース３０１と、自動取引装置からの未記帳取引履歴情報の取得要求に応じるべく、自動取引装置からの顧客識別情報に基づいて前記顧客データベースを参照し、未記帳取引履歴情報を生成する未記帳取引履歴情報生成部３０２とを備えたホスト装置とで取引履歴参照システムを構成する。【選択図】図１
2006092422.tif 000002
【特許請求の範囲】
【請求項１】
顧客からの操作指示に基づいて、当該顧客の通帳に未記帳の取引履歴を未記帳取引履歴情報として取得する未記帳取引履歴取得部と、該未記帳取引履歴情報を保持する記憶部と、保持された前記未記帳取引履歴情報に基づいて直近の取引履歴を表示する表示部とを備えた自動取引装置と、
前記自動取引装置と伝送路を介して接続されており、顧客を識別するための顧客識別情報に対応付けられた当該顧客の取引履歴が示されている取引履歴情報を保持する顧客データベースと、前記自動取引装置からの前記未記帳取引履歴情報の取得要求に応じるべく、自動取引装置からの前記顧客識別情報に基づいて前記顧客データベースを参照し、前記未記帳取引履歴情報を生成する未記帳取引履歴情報生成部とを備えたホスト装置と、で構成される取引履歴参照システム。
【請求項２】
前記未記帳取引履歴情報生成部は、前記未記帳取引履歴情報において、前記表示部に表示させるべき、直近の取引履歴を識別可能の最新取引履歴情報を付加した未記帳取引履歴情報を生成することを特徴とする請求項１記載の取引履歴参照システム。
【請求項３】
前記顧客からの操作指示を受入れる操作部を備えており、該操作部に設けた直近の取引履歴参照を指示する最新取引参照ボタンが押下されると、前記未記帳取引履歴部で取得した未記帳取引履歴情報に基づいて通帳へ記帳するとともに、前記未記帳取引履歴情報をともに取得した最新取引履歴情報に基づいて前記表示部に直近の取引履歴を表示することを特徴とする請求項２に記載の取引履歴参照システム。
【請求項４】
顧客からの操作指示を受入れる操作部と、該操作部からの指示に基づいて、当該顧客の通帳に未記帳の取引履歴を未記帳取引履歴情報として取得する未記帳取引履歴取得部と、該未記帳取引履歴情報を保持する記憶部と、保持された前記未記帳取引履歴情報に基づいて直近の取引履歴を表示する表示部とを備えた自動取引装置であって、
前記未記帳取引履歴取得部は、自動取引装置と伝送路を介して接続されているホスト装置に対し、顧客を識別するための顧客識別情報を送信し、該顧客識別情報に基づいて当該顧客の取引履歴が示されている取引履歴情報を保持する顧客データベースを参照させて生成させた前記未記帳取引履歴情報を前記ホスト装置から取得し、
前記操作部に設けた直近の取引履歴参照を指示する最新取引参照ボタンが押下されると、取得した前記未記帳取引履歴情報に基づいて、前記表示部に表示させるべき直近の取引履歴を識別可能の最新取引履歴情報を得、表示部は、該最新取引履歴情報に基づいて前記直近の取引履歴を表示することを特徴とする自動取引装置。
【請求項５】
前記最新取引参照ボタンは、未記帳の取引履歴が所定の件数を超えると、当該ボタン押下による指示を受入れることを特徴とする請求項４記載の自動取引装置。
【発明の詳細な説明】
【技術分野】
【０００１】
本発明は、金融機関の自動取引装置および自動取引システムに関し、特に顧客の取引履歴の直近表示に関するものである。
【背景技術】
【０００２】
従来、銀行などの金融機関の営業店に設置される自動取引装置（以降、ＡＴＭと記述する）には、通帳記入の機能がある。顧客がＡＴＭへ通帳を挿入すると、未記帳の取引履歴データを通帳へ印字するようになっている。しかし、多くの顧客は、金融機関の営業店へ通帳を持参することなく、取引カード（キャッシュカード）のみを持参して来店し、該取引カードを用いて取引を行う。この場合、取引終了時にＡＴＭから当該取引の内容のみが記録されたレシートが発行され、顧客の通帳に記帳すべき取引履歴がホスト装置に保存される。未記帳データが多くなる原因として、取引カードのみを持参しての取引のほか、時間帯（夜間や休日など）によって通帳の使用ができない機種の設置、例えばコンビニ店に設置されているＡＴＭなどが考えられる。また、自動引き落としやデビット決済が行なわれた場合にも、未記帳データの増加が想定される。
【０００３】
ところで、取引履歴に関する発明として、顧客が取引カードによりＡＴＭで取引を行う際、ホスト装置で該顧客の未記帳の取引履歴を示すデータ量が一定量に達したか否かを判断し、一定量を超えている場合には、ＡＴＭで通帳記帳を行うように顧客を案内することが特許文献１に開示されている。
【特許文献１】特開２００２−２４９０２号公報
【発明の開示】
【発明が解決しようとする課題】
【０００４】
しかしながら、未記帳の取引履歴の案内に従って記帳を行う顧客は、最近の取引履歴の確認を望んでおり、この要望に答える発明が望まれていた。
【０００５】
従って、本発明の目的は、最近の取引履歴を参照し得る自動取引装置および取引履歴参照システムを提供することにある。
【課題を解決するための手段】
【０００６】
本発明の取引履歴参照システムは、以上の点を解決するために、次の構成を採用する。
〈構成１〉
顧客からの操作指示に基づいて、当該顧客の通帳に未記帳の取引履歴を未記帳取引履歴情報として取得する未記帳取引履歴取得部と、該未記帳取引履歴情報を保持する記憶部と、保持された前記未記帳取引履歴情報に基づいて直近の取引履歴を表示する表示部とを備えた自動取引装置と、自動取引装置と伝送路を介して接続されており、顧客を識別するための顧客識別情報に対応付けられた当該顧客の取引履歴が示されている取引履歴情報を保持する顧客データベースと、自動取引装置からの未記帳取引履歴情報の取得要求に応じるべく、自動取引装置からの顧客識別情報に基づいて顧客データベースを参照し、未記帳取引履歴情報を生成する未記帳取引履歴情報生成部とを備えたホスト装置と、で構成されることを特徴とする。
〈構成２〉
未記帳取引履歴情報生成部は、未記帳取引履歴情報において、表示部に表示させるべき、直近の取引履歴を識別可能の最新取引履歴情報を付加した未記帳取引履歴情報を生成することを特徴とする。
〈構成３〉
顧客からの操作指示を受入れる操作部を備えており、該操作部に設けた直近の取引履歴参照を指示する最新取引参照ボタンが押下されると、未記帳取引履歴部で取得した未記帳取引履歴情報に基づいて通帳へ記帳するとともに、未記帳取引履歴情報をともに取得した最新取引履歴情報に基づいて表示部に直近の取引履歴を表示することを特徴とする。
【０００７】
〈構成４〉
顧客からの操作指示を受入れる操作部と、操作部からの指示に基づいて、顧客の通帳に未記帳の取引履歴を未記帳取引履歴情報として取得する未記帳取引履歴取得部と、未記帳取引履歴情報を保持する記憶部と、保持された未記帳取引履歴情報に基づいて直近の取引履歴を表示する表示部とを備えた自動取引装置であって、
未記帳取引履歴取得部は、自動取引装置と伝送路を介して接続されているホスト装置に対し、顧客を識別するための顧客識別情報を送信し、顧客識別情報に基づいて顧客の取引履歴が示されている取引履歴情報を保持する顧客データベースを参照させて生成させた未記帳取引履歴情報をホスト装置から取得し、操作部に設けた直近の取引履歴参照を指示する最新取引参照ボタンが押下されると、取得した未記帳取引履歴情報に基づいて、表示部に表示させるべき直近の取引履歴を識別可能の最新取引履歴情報を得、表示部は、最新取引履歴情報に基づいて直近の取引履歴を表示することを特徴とする。
〈構成５〉
最新取引参照ボタンは、未記帳の取引履歴が所定の件数を超えると、当該ボタン押下による指示を受入れることを特徴とする。
【発明の効果】
【０００８】
顧客が直近の取引履歴データを参照したいとき、記帳が完了するまで長い時間待つことなく直近の取引履歴データを参照でき、記帳の時間を使って次の取引などの立案ができるので、顧客の不満を解消し顧客へのサービスが向上する。
【発明を実施するための最良の形態】
【０００９】
本発明の実施形態について、図を用いて詳細に説明する。以下の説明では、各実施の形態に用いる図面について同一の構成要素は同一の符号を付し、かつ重複する説明は可能な限り省略する。
【実施例１】
【００１０】
以下、本発明の実施形態について図を用いて詳細に説明する。
実施例１の取引履歴参照システムが図１に示されている。該図を用いた説明に先立ち、システム構成図を図２に示し、該図に沿って説明する。
本発明の取引履歴参照システムは、図２に示すように、金融機関営業店1内に設けられた複数のＡＴＭ１１〜１４が伝送路２を介してホストセンタ３と接続される。さらに、金融機関営業店1内には、通信制御装置１５が伝送路２に接続されて配置され、ホストセンタ３との通信および他の金融機関営業店（図示せず）との通信を制御する。
ホストセンタ３にはホスト装置（ホストコンピュータ）３０が配置されている。ホスト装置３０は、顧客識別情報に対応づけられた顧客の取引履歴を保持する顧客データベース３０１と、該取引履歴の中から未記帳データを検索する機能と該未記帳データの中から最新（直近）データを選択する機能を有する未記帳取引履歴情報生成部３０２、記帳取引時に前記未記帳データを送信するとともに前記自動取引装置と通信する通信部３０３および各部を統括し制御する制御部３０９から構成される。
【００１１】
顧客データベース３０１は、個々の顧客の暗証番号や口座番号や氏名および代理人情報などの属性情報と、取引履歴とを保持している。
【００１２】
未記帳取引履歴情報生成部３０２は、前記顧客データベース３０１に保持された当該顧客の取引履歴の中から未記帳データを検索する未記帳データ検索部３０２１と、該未記帳データの中から最新（直近）データを選択する最新データ選択部３０２２とで構成される。
未記帳データ検索部３０２１は、前記顧客データベース３０１に保持された当該顧客の取引履歴を検索し未記入データを集め未記入データファイルを作成する。また、未記入データの件数を判断し制御部へ通知する。
最新データ選択部３０２２は、未記帳データ検索部３０２１で作成された未記帳データファイルの中から直近（最新）データを選択する。
【００１３】
通信部３０３は、通信制御装置１５の通信制御の下で金融機関営業店１の複数のＡＴＭ１１〜１４と通信する。必要ならば、通信制御装置を備えた他の金融機関営業店のＡＴＭとの通信も可能としても良い。
【００１４】
制御部３０９は、図８に示されるような、ストライプデータと、記帳データ有無フラグと、表示有無フラグと、記帳データおよび表示データからなる記帳要求応答電文を作成する。顧客データベースからストライプデータを取得して、該ストライプデータに記帳データ有無フラグと、表示有無フラグとを付加して、未記帳取引履歴情報生成部３０２から取得した記帳データおよび表示データから生成された記帳要求応答電文は、通信部３０３を介してＡＴＭ１１へ送信される。
【００１５】
実施例１の金融機関営業店1内に設置される４つのＡＴＭ１１〜１４は、同一構成である。従って、ＡＴＭ１１についての説明を行い、ＡＴＭ１２〜１４についての説明は内容が同じで重複するので割愛する。
ＡＴＭ１１は、顧客が取引種目の選択や取引金額などを入力するべく操作する操作部１１１と、ＣＲＴやＬＣＤなどのディプレイを有し顧客へ種々の情報を表示する表示部１１２と、紙幣入出金機および硬貨入出金機から構成される入出金部１１３と、顧客が挿入した通帳に対してストライプデータの読取りおよび取引の明細や取引履歴のうち未記入データを印字する通帳処理部１１４と、顧客が挿入したカードの磁気ストライプから口座番号などの顧客情報を読取り、取引後残高などの情報を更新するとともにカ−ドによる取引のときレシートへ取引内容を印字するカード処理部１１５と、通信制御装置１５の通信制御の下でホスト装置３０や他のＡＴＭと通信する機能をもつインタフェース部１１６と、ホスト装置３０から送られてきた顧客情報や取引履歴などを保持する記憶部１１７と、ホスト装置３０から未記帳取引履歴データを取得する未記帳取引履歴取得部１１８および装置全体を統括し制御する制御部１１９とで構成される。
【００１６】
表示部１１２には、図４に示されるような、直近の取引履歴の参照を指示する最新取引参照ボタンが設けられた画面が表示される。なお、画面レイアウトデータは、ＡＴＭのプログラムの一部として記憶部に格納されているものとする。該最新取引参照ボタンは、未記帳の取引履歴が所定の件数を超えると表示部に表示され、未記帳の取引履歴のうち画面で最新の取引履歴を参照する旨の指示を受け付けするようにしても良い。例えば、未記帳取引履歴情報の件数を３０件と定めて、これを超えるとき最新取引参照ボタンを表示部の画面に表示するようにしても良い。その他に、表示部１１２は、記帳処理中の画面として、最新取引表示用レイアウト（図５）および最新取引参照ボタン非表示用レイアウト（図６）を備えている。
【００１７】
未記帳取引履歴取得部１１８は、未記帳取引履歴情報生成部３０２で生成された未記帳取引履歴データおよびそれに付加された最新（直近）データをホスト装置３０から取得する。該取得された未記帳取引履歴データおよび最新（直近）データは、記憶部１１７に格納される。
【００１８】
制御部１１９は、図７に示されるような、ストライプデータおよび最新取引参照フラグからなる記帳要求電文を作成する。顧客の通帳から読取ったストライプデータを通帳処理部１１４から取得して、該ストライプデータに最新取引参照フラグを付加して作成された記帳要求電文は、インタフェース部１１６を介してホスト装置３０へ送信される。
【００１９】
実施例１の取引履歴参照システムの動作について説明する。
ＡＴＭ１１の前に顧客が進むと取引選択画面が表示されているので（Ｓ１０１）、顧客は「記帳取引」を選択する（Ｓ１０２）。「通帳を入れて下さい」のガイド画面が表示され、それに促され通帳を挿入する（Ｓ１０３）と、ＡＴＭ内部で通帳のストライプ内容などのチェックを行う（Ｓ１０４）。ストライプの内容などに問題がなければ、ＡＴＭからホスト装置３０に対して「記帳取引要求」の電文を送信する（Ｓ１０５）。
【００２０】
取引を選択した後、最初にＡＴＭ１１からホスト装置３０へ電文を送信するときには、「最新取引参照ボタン」は表示されておらず押下されてないので、「最新取引参照フラグ」はＯＦＦにして、挿入された通帳のストライプ情報などとともにホスト装置３０へ送信する。
【００２１】
ホスト装置３０では、ＡＴＭ１１から受信した「記帳取引要求」の電文のストライプ情報などをチェックし、問題がなければ、該当の口座の元帳データを参照し、記帳するデータがあるか否かをチェックする。記帳するデータがある場合には、未記帳データが何件あるかチェックし、３０件以上であるとき、ＡＴＭ１１へ送信する応答電文（図７）上の「表示データ有無フラグ」をＯＮにする。
【００２２】
次に、ホスト装置３０はＡＴＭ１１から送信された記帳要求の電文上の「最新取引参照フラグ」がＯＦＦであるか否かをチェックする。最初の記帳要求の電文上では、「最新取引参照フラグ」はＯＦＦである。ホスト装置３０は、ＡＴＭ１１へ「最新取引参照フラグ」はＯＮとし、記帳データと、「表示データ有無フラグ」はＯＮとし、表示データを添付せずに応答電文として送信する（Ｓ１０６）。ここでＡＴＭ１１への応答電文に表示データを含めないのは、１つの記帳取引で最初の通信を行った後の記帳処理中の画面に、最新取引履歴を画面表示しないためである。
【００２３】
ＡＴＭ１１では、ホスト装置３０から受信した応答電文上の「記帳データ有無フラグ」をチェックし、ＯＮであれば、該記帳データを通帳に記帳（Ｓ１０７）し、並行して次の動作を行う。
ＡＴＭ１１は、応答電文上の「表示データ有無フラグ」をチェックする。「表示データ有無フラグ」がＯＮであれば、画面に表示するデータがあるという意味であるから、ＡＴＭ内部に持っている「参照ボタン押下フラグ」を参照する。「参照ボタン押下フラグ」は、記帳処理中の画面に表示された「最新取引参照ボタン」を顧客が押下したか否かを示すフラグである。最初の記帳要求に対する応答電文を受信したとき、該フラグは初期値のＯＦＦであるため、「最新取引参照ボタン」を画面に表示する（Ｓ１０８）（図４を参照）。
【００２４】
ここで、「最新取引参照ボタン」が押下されると、ＡＴＭ１１は、内部に持っている「参照ボタン押下フラグ」をＯＮにして（Ｓ１０９）、「最新取引参照フラグ」をＯＮにし、ホスト装置３０へ記帳要求の電文を送信する（Ｓ１１０）。また、「最新取引参照ボタン」が押下されなかった場合には、「最新取引参照フラグ」をＯＦＦのまま記帳要求の電文（図７を参照）をホスト装置３０へ送信する（Ｓ１１２）。
【００２５】
ホスト装置３０では、「最新取引参照フラグ」がＯＮであるため、該当口座の次の未記帳データとともに画面に表示する最新取引データを付加して、応答電文をＡＴＭ１１へ送信する。未記帳データが３０件以上で、「最新取引参照ボタン」を顧客が押下した場合、表示データをホスト装置３０からＡＴＭ１１へ送信するときは、記帳データがなくなるまで画面に表示する表示データを応答電文でＡＴＭへ送信する。
【００２６】
ＡＴＭ１１では、該応答電文を受信し（Ｓ１０６）、「記帳データ有無フラグ」がＯＮであれば、記帳データを通帳へ印字する（Ｓ１０７）。該記帳処理と並行して、「表示データ有無フラグ」がＯＮであれば、「最新取引参照ボタン押下フラグ」を参照して該フラグがＯＮであれば、既に「最新取引参照ボタン」が表示され押下されたものと判断し該ボタンの表示は止め、ホスト装置３０から受信した表示データに基づいて最新取引履歴（図５を参照）を画面に表示する（Ｓ１１１）。
【００２７】
ホスト装置３０から受信した記帳データの記帳処理が完了すると、ＡＴＭ１１はホスト装置３０へ記帳要求の電文を送信する（Ｓ１１０）。該電文上の「最新取引参照フラグ」は、一度「最新取引参照ボタン」が押下されると記帳データがなくなるまでＯＮで送信する。一度も「最新取引参照ボタン」が押下されない場合で、且つ記帳処理が進んで未記帳データが３０件未満となっていれば、ホスト装置３０は、「表示データ有無フラグ」をＯＦＦにして前述のように応答電文を送信する。
【００２８】
ＡＴＭ１１は、ホスト装置３０からの応答電文を受信し（Ｓ１０６）、記帳処理（Ｓ１０７）を行い、それと並行して「表示データ有無フラグ」を参照して、該フラグがＯＦＦであれば、既に記帳処理の残りが少なくなっているため、「最新取引参照ボタン」を表示しない画面（図５を参照）を表示する。そして、ホスト装置３０へ「最新取引参照フラグ」をＯＦＦにして記帳要求電文を送信する（Ｓ１１２）。
【００２９】
ホスト装置３０は、残りの記帳データがなければ、「記帳データ有無フラグ」をＯＦＦとし、「表示データ有無フラグ」をＯＦＦとしてＡＴＭへ応答電文を送信する。
ＡＴＭ１１は、「記帳データ有無フラグ」がＯＦＦであるため、記帳するデータが無いと判断し、ＡＴＭ内部に持っている「参照ボタン押下フラグ」を初期化（ＯＦＦ）し（Ｓ１１３）、通帳を排出して（Ｓ１１４）、取引を終了する。
【００３０】
実施例１の取引履歴参照システムによれば、顧客の通帳に未記帳の取引履歴を未記帳取引履歴情報として取得する未記帳取引履歴取得部１１８と、未記帳取引履歴情報を保持する記憶部１１７と、保持された未記帳取引履歴情報に基づいて直近の取引履歴を表示する表示部１１２とを備えた自動取引装置１１と、顧客を識別するための顧客識別情報に対応付けられた顧客の取引履歴が示されている取引履歴情報を保持する顧客データベース３０１と、自動取引装置からの前記未記帳取引履歴情報の取得要求に応じて、顧客データベースを参照し、最新取引履歴情報を付加した未記帳取引履歴情報を生成する未記帳取引履歴情報生成部３０２とを備えたホスト装置３０で構成することにより、顧客の操作指示に基づいて未記帳取引履歴情報を通帳へ記帳するとともに、直ぐに表示部１１２で直近（最新）の取引履歴を参照できる。
【００３１】
従って、未記帳データがたくさんある状態で通帳記帳する場合、顧客が直近の取引履歴データ、例えば、口座振替や引落し状況を参照したいとき、記帳が完了するまで長い時間待つことなく直近の取引履歴データを参照でき、記帳の時間を使って次の取引などの立案ができるので、顧客の不満を解消し顧客へのサービスが向上する。
【実施例２】
【００３２】
実施例２の取引履歴参照システムの主要部が図９に示されている。該図を用いた説明に先立ち、システム構成図を図２に示し、該図に沿って説明する。
本発明の取引履歴参照システムは、図２に示すように、金融機関営業店1内に設けられた複数のＡＴＭ１１Ａ〜１４Ａが伝送路２を介してホストセンタ３と接続される。さらに、金融機関営業店1内には、通信制御装置１５が伝送路２に接続されて配置され、ホストセンタ３との通信および他の金融機関営業店（図示せず）との通信を制御する。
ホストセンタ３にはホスト装置（ホストコンピュータ）３０Ａが配置されている。ホスト装置３０Ａは、顧客識別情報に対応づけられた顧客の取引履歴を保持する顧客データベース３０１と、該取引履歴の中から未記帳データを検索する機能と該未記帳データの中から最新（直近）データを選択する機能を有する未記帳取引履歴情報生成部３０２、記帳取引時に前記未記帳データを送信するとともに前記自動取引装置と通信する通信部３０３および各部を統括し制御する制御部３０９Ａから構成される。
【００３３】
制御部３０９Ａは、図１２に示されるような、ストライプデータと、記帳データ有無フラグと、記帳データおよび表示データからなる記帳要求応答電文を作成する。顧客データベースからストライプデータを取得して、該ストライプデータに記帳データ有無フラグと、表示有無フラグとを付加して、未記帳取引履歴情報生成部３０２から取得した記帳データおよび表示データから生成された記帳要求応答電文は、通信部３０３を介してＡＴＭ１１Ａへ送信される。
【００３４】
実施例２の金融機関営業店1内に設置される４つのＡＴＭ１１Ａ〜１４Ａは、同一構成である。従って、ＡＴＭ１１Ａについての説明を行い、ＡＴＭ１２Ａ〜１４Ａについての説明は内容が同じで重複するので割愛する。
ＡＴＭ１１Ａは、顧客が取引種目の選択や取引金額などを入力するべく操作する操作部１１１と、ＣＲＴやＬＣＤなどのディプレイを有し顧客へ種々の情報を表示する表示部１１２Ａと、紙幣入出金機および硬貨入出金機から構成される入出金部１１３と、顧客が挿入した通帳に対してストライプデータの読取りおよび取引の明細や取引履歴のうち未記入データを印字する通帳処理部１１４と、顧客が挿入したカードの磁気ストライプから口座番号などの顧客情報を読取り、取引後残高などの情報を更新するとともにカ−ドによる取引のときレシートへ取引内容を印字するカード処理部１１５と、通信制御装置１５の通信制御の下でホスト装置３０Ａや他のＡＴＭと通信する機能をもつインタフェース部１１６と、ホスト装置３０Ａから送られてきた顧客情報や取引履歴などを保持する記憶部１１７と、ホスト装置３０Ａから未記帳取引履歴データを取得する未記帳取引履歴取得部１１８および装置全体を統括し制御する制御部１１９Ａとで構成される。
【００３５】
表示部１１２Ａには、図１１に示されるような、直近の取引履歴の参照を指示する最新取引参照ボタンが設けられた画面が表示される。なお、画面レイアウトデータは、ＡＴＭのプログラムの一部として記憶部１１７に格納されているものとする。該最新取引参照ボタンは、顧客が記帳取引を選択したのち、直ちに画面に表示され、未記帳の取引履歴のうち画面で最新の取引履歴を参照する旨の顧客の指示を受け付けられるようにしても良い。その他に、表示部１１２Ａは、記帳処理中の画面として、最新取引表示用レイアウト（図５）を備えている。
【００３６】
実施例２の取引履歴参照システムの動作について説明する。
記帳取引を選択した（Ｔ１０２）後、通帳を挿入する前に、図１１のような「最新取引参照ボタン」を配置した画面を表示し（Ｔ１０３）、顧客が該ボタンを押下すると、ＡＴＭ１１Ａ内部に持っている「参照ボタン押下フラグ」をＯＮする（Ｔ１０６）。図７の電文フォーマットに従って、「最新取引参照フラグ」はＯＮで記帳要求電文をホスト装置３０Ａへ送信する（Ｔ１０７）。そのため、最初の記帳要求電文に対する応答電文で表示データをホスト装置３０Ａから受信できるので、最初の記帳処理中の画面に、図５に示されているように最新取引履歴を表示することができる。
【００３７】
ホスト装置３０Ａは、未記帳データの件数に係わらず、ステップＴ１０６で「最新取引参照ボタン」が押下されていれば、記帳データとともに、最新の取引データを付加し電文（図１２）を作成し、ＡＴＭ１１Ａへ送信する（Ｔ１０９）。記帳データがある場合は必ず表示データをＡＴＭ１１Ａへ送信する方式のため、「表示データ有無フラグ」は電文には無い。
【００３８】
実施例２の取引履歴参照システムによれば、保持された未記帳取引履歴情報に基づいて直近の取引履歴を表示する表示部１１２Ａと、顧客が記帳取引を選択したのち、直ちに「最新取引参照ボタン」を表示部１１２Ａに表示させるべく制御する制御部１１９Ａを備えた自動取引装置１１Ａと、自動取引装置１１Ａからの未記帳取引履歴情報の取得要求に応じて顧客データベースを参照し最新取引履歴情報を付加した未記帳取引履歴情報を生成する未記帳取引履歴情報生成部３０２と、各部を統括し制御するとともに記帳要求応答電文を作成する制御部３０９Ａとを備えたホスト装置３０Ａで構成することにより、顧客が記帳取引を選択したのち、直ちに「最新取引参照ボタン」を画面に表示させ、顧客が該ボタンを押下すると、該操作指示に基づいて未記帳取引履歴情報を通帳へ記帳するとともに、直ぐに画面で直近（最新）の取引履歴を参照できる。
【００３９】
また、「最新取引参照ボタン」を画面に表示するか否かの判断は、ホスト装置３０Ａに依存せずＡＴＭで決定するので、ホスト装置３０Ａの制御の負担とならない。
【産業上の利用可能性】
【００４０】
実施例１および実施例２では、自動取引装置とホスト装置からなる取引履歴参照システムであり、通帳に未記帳の取引履歴を未記帳取引履歴情報として取得する未記帳取引履歴取得部と、該未記帳取引履歴情報を保持する記憶部と、保持された前記未記帳取引履歴情報に基づいて直近の取引履歴を表示する表示部とを備えた自動取引装置と、顧客を識別するための顧客識別情報に対応付けられた当該顧客の取引履歴が示されている取引履歴情報を保持する顧客データベースと、自動取引装置からの未記帳取引履歴情報の取得要求に応じるべく、自動取引装置からの顧客識別情報に基づいて前記顧客データベースを参照し、未記帳取引履歴情報を生成する未記帳取引履歴情報生成部とを備えたホスト装置とで取引履歴参照システムを構成することにより、顧客の操作指示に基づいて未記帳取引履歴情報を通帳へ記帳するとともに、直ぐに画面で直近（最新）の取引履歴を表示することができる。
【００４１】
本発明は、自動取引装置に限定されずに通帳記帳専用機にも適用可能である。即ち、通帳記帳専用機とホスト装置でも取引履歴参照システムを構成できる。この場合、通帳記帳専用機が通帳繰越機能を持っていれば、繰越処理に長時間掛かるため、最新取引履歴を画面で参照する本発明の効果は、さらに高いものとなる。
【００４２】
また、実施例１および実施例２は、通帳記帳取引における例であるが、本発明は支払、入金、振替など通帳を使用した他の取引にも適用が可能である。
【図面の簡単な説明】
【００４３】
【図１】実施例１の取引履歴参照システムにおける主要部の構成図である。
【図２】本発明の取引履歴参照システムの概略図である。
【図３】実施例１の取引履歴参照システムの動作を示すフローチャートである。
【図４】実施例１の記帳処理中画面（最新取引参照ボタン表示）のレイアウト例である。
【図５】本発明の記帳処理中画面（最新取引表示）のレイアウト例である。
【図６】本発明の記帳処理中画面（最新取引参照ボタン非表示）のレイアウト例である。
【図７】本発明の記帳要求電文    （ＡＴＭ    →ホスト装置）の構成図である。
【図８】実施例１の記帳要求応答電文（ホスト装置→ＡＴＭ）の構成図である。
【図９】実施例２の取引履歴参照システムにおける主要部の構成図である。
【図１０】実施例２の取引履歴参照システムの動作を示すフローチャートである。
【図１１】実施例２における記帳処理中画面（最新取引参照ボタン表示）のレイアウト例である。
【図１２】実施例２の記帳要求応答電文（ホスト装置→ＡＴＭ）の構成図である。
【符号の説明】
【００４４】
１                                  金融機関営業店
１１、１２、１３、１４              ＡＴＭ
１１Ａ、１２Ａ、１３Ａ、１４Ａ      ＡＴＭ
１１１                              操作部
１１２、１１２Ａ                    表示部
１１３                              入出金部
１１４                              通帳処理部
１１５                              カード処理部
１１６                              インタフェース部
１１７                              記憶部
１１８                              未記帳取引履歴取得部
１１９、１１９Ａ                    制御部
１５                                通信制御装置
２                                  伝送路
３                                  ホストセンタ
３０，３０Ａ                        ホスト装置（ホストコンピュータ）
３０１                              顧客データベース
３０２                              未記帳取引履歴情報生成部
３０２１                            未記帳データ検索部
３０２２                            最新データ選択部
３０３                              通信部
３０９、３０９Ａ                    制御部
【図１】
2006092422.tif 000003
【図２】
2006092422.tif 000004
【図３】
2006092422.tif 000005
【図４】
2006092422.tif 000006
【図５】
2006092422.tif 000007
【図６】
2006092422.tif 000008
【図７】
2006092422.tif 000009
【図８】
2006092422.tif 000010
【図９】
2006092422.tif 000011
【図１０】
2006092422.tif 000012
【図１１】
2006092422.tif 000013
【図１２】
2006092422.tif 000014